(57)【特許請求の範囲】
【請求項１】
錠本体内に連通する開口部を有するフェースプレートと、前記開口部から出没する回動可能なラッチヘッドと、前記ラッチヘッドが挿通され前記開口部に回動可能に嵌込まれたラッチカバーと、前記ラッチヘッドが回動不能に出没する前記ラッチカバーの額状リブが回動可能に嵌合する円孔が設けられたアーマープレートと、を有してなり；前記フェースプレートの前記開口部内に連通する凹所には前記開口部の方向へバネで付勢された掛孔を有するストッパ片が前記ラッチカバーの鍔部の一対の溝の何れか一方にに係脱可能に係合して収納されているとともに、前記アーマープレートの前記ストッパ片に対応する位置には前記掛孔に連通する縦長孔が穿孔されており、前記フェースプレートに前記アーマープレートを固着してフロントが形成されていることを特徴とするラッチ錠。
【発明の詳細な説明】
【０００１】
【発明の属する技術分野】
本発明は、事務所錠あるいは玄関錠などとして利用される堀込み錠に関し、詳しくは空締り錠および空締りと本締りを兼ねたユニボルト式の錠など、ラッチを用いるラッチ錠に関する。
【０００２】
【従来の技術】
ラッチ錠は、蝶番を介して扉を外開きに取り付けるか内開きに取り付けるかによって、ラッチヘッドの傾斜面の方向を扉の内外開き方向に合わせて使用するようになっている。最近は、予め扉にラッチ錠を組み込んでおき、扉の取り付け現場でラッチヘッドの傾斜面の方向を変えることのできるラッチ錠が使用されている。
【０００３】
図５は、上記ラッチヘッドの向きを変えることのできる周知のラッチ錠を示すもので、このラッチ錠に於ける断面が非円形のラッチヘッド５０は、外縁が円形のラッチカバー５６に挿通し、ラッチヘッド５０と相似形のラッチカバー５６の額状リブ５６ａから出没するようになっている。ラッチカバー５６は錠本体５１のフェースプレート５２に回動可能に嵌込まれ、ラッチカバー５６とラッチヘッド５０は共に回動するようになっている。
【０００４】
そして、前記ラッチカバー５６の額状リブ５６ａがぴったり嵌合する孔５４を有するアーマープレート５３がフェースプレート５２に取り付けられてフロントＦが構成され、アーマープレート５２の孔５４によってラッチカバー５６とこれに挿通するラッチヘッド５０の回動が阻止されている。
【０００５】
従って、上記従来のラッチ錠のラッチヘッド５０の傾斜面５０ａの方向を変えるときは、扉にフロントＦを固定している螺子（図示省略）をフロントＦの螺子孔５７から取り外してアーマープレート５３をフェースプレート５２から取り除き、ラッチヘッド５０を回動可能状態にしてラッチヘッド５０と共にラッチカバー５６を１８０度回転させる。
【０００６】
そして、再度アーマープレート５２をフェースプレート５２に取り付けてラッチヘッド５０の回動を阻止し、螺子を締め付けてラッチヘッド５０の方向変換作業が完了するものである。
【０００７】
【発明が解決しようとする課題】
上記従来のラッチ錠は、扉に装着したまま作業現場においてラッチヘッド５０の方向変換ができるものではあるが、アーマープレート５３をフェースプレート５２からいったん取り外してからラッチヘッド５０を回動させるので、手間がかかって作業性が悪かった。また、再度アーマープレート５３を取り付ける際の螺子の締め付け不足や締め忘れにより取り付け状態が損なわれ、がたつきが発生する作業ミスの原因となっていた。
【０００８】
本発明は、上記問題に鑑みてなされたもので、扉に装着されたラッチ錠のラッチヘッドの方向変換が、取り付け状態を損なう心配なく簡単に行える、作業性の良いラッチ錠に改良することを課題としている。
【０００９】
【課題を解決するための手段】
本発明は、錠本体内に連通する開口部を有するフェースプレートと、前記開口部から出没する回動可能なラッチヘッドと、前記ラッチヘッドが挿通され前記開口部に回動可能に嵌込まれたラッチカバーと、前記ラッチヘッドが回動不能に出没する前記ラッチカバーの額状リブが回動可能に嵌合する円孔が設けられたアーマープレートと、を有してなり；前記フェースプレートの前記開口部内に連通する凹所には前記開口部の方向へバネで付勢された掛孔を有するストッパ片が前記ラッチカバーの鍔部の一対の溝の何れか一方に係脱可能に係合して収納されているとともに、前記アーマープレートの前記ストッパ片に対応する位置には前記掛孔に連通する縦長孔が穿孔されており、前記フェースプレートに前記アーマープレートを固着してフロントが形成され、細いピンを前記縦長孔からストッパ片の掛孔に差し込んでストッパ片とラッチカバーの係合を解除することにより、ラッチカバーおよびラッチヘッドを回動可能にする。
【００１０】
【発明の実施の形態】
以下、本発明の好適な実施の形態を添付図面を参照しながら詳細に説明する。
【００１１】
図１乃至図４は、本発明のラッチ錠の実施の形態を示すもので、錠本体２内に連通する開口部３を有するフェースプレート１と、バネ１１で付勢されて前記開口部３から出没する回動可能なラッチヘッド１０と、前記ラッチヘッド１０が挿通し前記開口部３に回動可能に嵌込まれるラッチカバー２０と、ラッチヘッド１０が回動不能に出没する前記ラッチカバー２０の額状リブ２２が回動可能に嵌合する円孔３１が設けられたアーマープレート３０と、を有して構成され、フェースプレート１にアーマープレート３０がかしめられてフロントＦが形成されている。
【００１２】
フェースプレート１は、やや厚肉の鋼板で長方形に形成され、中央部に穿孔された錠本体２内に連通する開口部３内には段部４が形成されているとともに、開口部３の上部には、開口部３内に連通する凹所５が設けられている。
【００１３】
そして、この凹所５内には、開口部３方向へバネ６で付勢されたストッパ片７が上下動可能に収納されている。このストッパ片７は凹所５の深さ寸法とほぼ同じ厚みを有し、掛孔８が穿孔されている。尚、符号９，９はアーマープレート３０を固着するときの一対のかしめ受孔である。
【００１４】
また、ラッチ１２は周知のものであり、その先端のラッチヘッド１０は、上下面は円弧面１３，１４に、そして両側面は垂直面１５，１６に形成されており、その前方は前記垂直面１５から垂直面１６にかかる傾斜面１７となっている。そして、その後方は円弧面１３，１４に沿って上下に突設された当り壁１８，１９となっていて、ラッチカバー２０に当接することによりフロントＦからラッチ１２が抜け出すのを防止している。
【００１５】
ラッチカバー２０は、その中央に形成されたラッチヘッド１０と相似形の挿通孔２１にラッチヘッド１０が挿通してラッチヘッド１０と共に回動する合成樹脂製のリング状のものであり、フェースプレート１の開口部３に嵌合している。そして、その外周縁は開口部３の段部４に当接する鍔部２３となっており、この鍔部２３の上下には前述したストッパ片７が係脱可能に弾性的に係合する一対の溝２４，２５が開設されており、ストッパ片７とともにラッチヘッド１０の回動阻止機構を構成している。また、ラッチカバー２０の前面には、ラッチヘッド１０が出没する外周が円形の額状リブ２２が突設されている。
【００１６】
アーマープレート３０は、フェースプレート１よりも薄肉の鋼板を使用してフェースプレート１とほぼ相似形に形成されており、その中央部には前記ラッチカバー２０の額状リブ２２が回動可能に且つ前面に面一に嵌合する円孔３１が設けられている。また、アーマープレート３０のストッパ片７に対応する位置にはストッパ片７の掛孔８に連通する縦長孔３２が穿孔されているとともに、フェースプレート１のかしめ受孔９，９に対応する位置には一対のかしめ孔３３，３３が穿設されている。
【００１７】
そして、フェースプレート１にアーマープレート３０を接合し、かしめ孔３３，３３とかしめ受孔９，９を使って両方をかしめて固着し、内部にストッパ片７を内設したフロントＦが形成されている。尚、フェースプレート１とアーマープレート３０の固着手段は、前記かしめに限るものではなく、接着、螺着によっても可能であることはいう迄もない。
【００１８】
以上の説明で明らかなように、本実施の形態のラッチ状は、フェースプレート１にアーマープレート３０がかしめられて堅固なフロントＦを形成して組立られているとともに、ラッチカバー２０と共に回動するラッチヘッド１０は、ラッチカバー２０の溝２４とこれに弾性的に係脱可能に係合するストッパ片７とによって回動不能とされている。
【００１９】
そして、従来のラッチ錠と同様に、ラッチヘッド１０の傾斜面１７の向きが、建てつける扉の開き方向に適合している場合はこのままでの状態で使用され、そうでない場合はラッチヘッド１０を回してその傾斜面１７の向きを１８０度変換することになる。
【００２０】
本実施の形態のラッチヘッド１０の傾斜面１７の方向を変換するには、図３に示すように、細いピン３５を用意し、アーマープレート３０の縦長孔３２からストッパ片７の掛孔８に差し込み、バネ６の付勢力に抗してラッチカバー２０の溝２４からストッパ片７をこじり上げて係合状態を解除する。そして、解除状態を保持したままラッチヘッド１０を手指で摘んで１８０度回動させ、回動後のラッチカバー２０の溝２５にストッパ片７を弾性復帰させて係合する。
【００２１】
【発明の効果】
以上説明したような形態で実施される本発明のラッチ錠は、以下に記載されるような効果を奏する。
【００２２】
フェースプレートにアーマープレートを固着して形成したフロントの内部にラッチヘッドの回動を阻止するストッパ片を内設し、フロント前面の縦長孔からピンを差し込んでストッパ片を操作することによりラッチヘッドの回動を可能とすることができるようにしたので、ラッチヘッドの方向を変換するときは、従来のラッチ錠のようにアーマープレートを取り外して再度取り付け直すという手間のかかる作業がなく、従って、作業が迅速化される。
【００２３】
また、現場でアーマープレートを取り付け直す際の螺子の締め込み不足や締め忘れなどの作業ミスが防止され、ラッチヘッドの方向変換作業によりラッチ錠の取り付け状態が損なわれてしまうことがない。
【図面の簡単な説明】
【図１】本発明のラッチ錠の分解斜視図。
【図２】図１のラッチ錠の、（ａ）はアーマープレートをかしめる前の状態を示すフェースプレートの正面図、（ｂ）はアーマープレートの正面図。
【図３】図１のラッチ錠の主要部の断面図。
【図４】図１のラッチ錠の主要部の平面図。
【図５】従来例を示す、（ａ）は主要部の平面図、（ｂ）は正面図。
【符号の説明】
１  フェースプレート，２  錠本体，３  開口部，５  凹所，７  ストッパ片，８  掛孔，１０  ラッチヘッド，１１  バネ，２０  ラッチカバー，２２  額状リブ，２３  鍔部，２４  溝，３０  アーマープレート，３１  円孔，３２  縦長孔，Ｆ  フロント，
【図１】
0003905941.tif 000002
【図２】
0003905941.tif 000003
【図３】
0003905941.tif 000004
【図４】
0003905941.tif 000005
【図５】
0003905941.tif 000006